(57)【要約】【課題】室内の空調を行う空調システムにおいて、室内の空間の環境悪化を抑制することを目的とする。【解決手段】制御装置である携帯電話７の制御部２１により、換気扇８近傍の調理器具で行う調理メニューを表示部２２に表示させると共に、この表示部２２に表示された調理メニューを選択すると通信部２７を介して、換気扇８と空気清浄機３の少なくとも一方を選択した調理メニューに応じた動作をさせる構成としたので、調理の種類に応じて、換気扇８および空気清浄機３が調理の実行と共に動作し、その結果として、室内の空間の環境悪化を抑制することができるのである。【選択図】図１
2015010735.tif 000002
【特許請求の範囲】
【請求項１】
室内に配置される換気扇および空気清浄機と、これらの換気扇および空気清浄機と通信を行う制御装置とを備え、前記制御装置は、前記換気扇および空気清浄機と通信を行う通信部と、この通信部に接続された制御部と、この制御部に接続された入力部、表示部、メモリとを有し、前記制御装置の制御部は、前記換気扇近傍の調理器具で行う調理メニューを前記表示部に表示させると共に、この表示部に表示された調理メニューを選択すると前記通信部を介して、換気扇と空気清浄機の少なくとも一方を、選択した調理メニューに応じた動作をさせる構成とした空調システム。
【請求項２】
制御装置として携帯端末を用いた請求項１に記載の空調システム。
【請求項３】
制御装置の制御部は、換気扇または空気清浄機への通信後、これらの換気扇または空気清浄機からの返信を確認し、前記換気扇または空気清浄機からの返信があった場合にこれらの換気扇または空気清浄機への送信を停止させる構成とした請求項１または２に記載の空調システム。
【発明の詳細な説明】
【技術分野】
【０００１】
本発明は、室内の空調を行う空調システムに関するものである。
【背景技術】
【０００２】
従来の、この種、空調システムとしては、室内に配置される換気扇および空気清浄機を備えたものがあった。
【０００３】
すなわち、換気扇と空気清浄機の少なくとも一方に、空気の汚れを検出するセンサを設け、たとえば、換気扇近傍の調理器具で焼き物をした場合に、その空気の汚れを検出し、これら換気扇、空気清浄機の両方を同時に駆動させるようにしていた（例えば、下記特許文献１）。
【先行技術文献】
【特許文献】
【０００４】
【特許文献１】特開平１１−３５１６４５号公報
【発明の概要】
【発明が解決しようとする課題】
【０００５】
上記従来例における課題は、室内の空間の環境が悪化してしまうということであった。
【０００６】
すなわち、従来例では、焼き物をし、その結果として室内の空間の環境が悪化すると、換気扇、空気清浄機の両方を同時に駆動させ、悪化した環境を少しでも良くするようにしていた。
【０００７】
つまり、従来例では、一度は、焼き物のせいで、室内環境が悪化した状態となってしまい、その後、換気扇、空気清浄機の両方を同時に駆動させ、悪化した環境を少しでも良くするようにしたものであった。
【０００８】
そこで本発明は、室内の空間の環境悪化を抑制することを目的とする。
【課題を解決するための手段】
【０００９】
そして、この目的を達成するために、本発明は、室内に配置される換気扇および空気清浄機と、これらの換気扇および空気清浄機と通信を行う制御装置とを備え、前記制御装置は、前記換気扇および空気清浄機と通信を行う通信部と、この通信部に接続された制御部と、この制御部に接続された入力部、表示部、メモリとを有し、前記制御装置の制御部は、前記換気扇近傍の調理器具で行う調理メニューを前記表示部に表示させると共に、この表示部に表示された調理メニューを選択すると前記通信部を介して、換気扇と空気清浄機の少なくとも一方を、選択した調理メニューに応じた動作をさせる構成とし、これにより所期の目的を達成するものである。
【発明の効果】
【００１０】
本発明によれば、室内に配置される換気扇および空気清浄機と、これらの換気扇および空気清浄機と通信を行う制御装置とを備え、前記制御装置は、前記換気扇および空気清浄機と通信を行う通信部と、この通信部に接続された制御部と、この制御部に接続された入力部、表示部、メモリとを有し、前記制御装置の制御部は、前記換気扇近傍の調理器具で行う調理メニューを前記表示部に表示させると共に、この表示部に表示された調理メニューを選択すると前記通信部を介して、換気扇と空気清浄機の少なくとも一方を、選択した調理メニューに応じた動作をさせる構成としたので、室内の空間の環境悪化を抑制することができる。
【００１１】
すなわち、本発明では、前記制御装置の制御部により、前記換気扇近傍の調理器具で行う調理メニューを前記表示部に表示させると共に、この表示部に表示された調理メニューを選択すると前記通信部を介して、換気扇と空気清浄機の少なくとも一方を、選択した調理メニューに応じた動作をさせる構成としたので、調理の種類に応じて、換気扇および空気清浄機が調理の実行と共に動作し、その結果として、室内の空間の環境悪化を抑制することができるのである。
【図面の簡単な説明】
【００１２】
【図１】本発明の実施の形態１の空調システムの室内の部屋における、電化製品、家具等の配置を示す図
【図２】同空調システムの詳細を示すブロック図
【図３】同空調システムの制御装置におけるフローチャート
【図４】同空調システムの制御装置の表示部を示す図
【図５】同空調システムの制御装置からの送信内容を示す図
【図６】同空調システムの換気扇におけるフローチャート
【図７】同空調システムの空気清浄機におけるフローチャート
【発明を実施するための形態】
【００１３】
以下、本発明の実施の形態について図面を参照しながら説明する。
【００１４】
（実施の形態１）
図１は、室内の部屋における、電化製品、家具等の配置を示すものである。図１における右側が、リビング１の空間で、左側がダイニング２の空間である。これらリビング１とダイニング２とから１つの部屋を形成している。
【００１５】
リビング１には、持ち運び自在となった空気清浄機３、テレビ４、ソファー５、テーブル６が配置されている。テーブル６の上には、制御装置としての一例である携帯電話７（携帯機器の一例）が置かれている。
【００１６】
ダイニング２には、換気扇８が設置され、図示していないが、この換気扇８の下方には、加熱できる調理器具が備えられている。
【００１７】
図２は、換気扇８、空気清浄機３、および携帯電話７のブロック図を示している。
【００１８】
換気扇８は、ファン１０に接続した制御部１１と、この制御部１１に接続したスイッチ１２、メモリ１３、および通信部１４とから構成されている。
【００１９】
換気扇８は、「強」、「中」、「弱」の風量の異なる運転動作と、この運転動作を停止させる「停止」の４種類の動作を備えている。「強」、「中」、「弱」の順に風量が小さいものである。調理器具で調理を行った場合に発生する水蒸気、煙、臭い等は、換気扇８によって室外へ排気できる。
【００２０】
空気清浄機３は、ファン１５に接続した制御部１６と、この制御部１６に接続したスイッチ１７、メモリ１８、および通信部１９とから構成されている。
【００２１】
空気清浄機３は、「通常」の運転動作と、この運転動作を停止させる「停止」の２種類の動作を備えている。図示していないが、空気清浄機３は、空気清浄フィルターを備えているので、ファン１５によって室内の空気を空気清浄フィルターに通過させることにより、室内の花粉、粉塵等を捕集し、室内の空気を清浄化するものである。
【００２２】
携帯電話７は、電話通信用の通信部２０に接続した制御部２１と、この制御部２１に接続した表示部２２、メモリ２３、マイク２４、スピーカー２５、入力部２６および通信部２７とから構成されている。
【００２３】
携帯電話７の通信部２７は、換気扇８の通信部１４、および空気清浄機３の通信部１９を介して、換気扇８および空気清浄機３と通信できる。すなわち、換気扇８のスイッチ１２と、空気清浄機３のスイッチ１７とを「ＯＮ」にすることができる。つまり、携帯電話７から換気扇８および空気清浄機３の運転を制御できるものである。
【００２４】
本実施形態の特徴は、携帯電話７の制御部２１により、換気扇８近傍の調理器具で行う調理メニューを表示部２２に表示させると共に、この表示部２２に表示された調理メニューを選択すると通信部２７を介して、換気扇８と空気清浄機３の少なくとも一方を、選択した調理メニューに応じた動作させる点である。これにより、調理の種類に応じて、換気扇８および空気清浄機３が調理の実行と共に動作し、その結果として、室内の空間の環境悪化を抑制することができるのである。
【００２５】
この点を図３に示す携帯電話７のフローチャートを用いて説明する。
【００２６】
料理を始める前に、携帯電話７の表示部２２に表示しているアイコンで空調システムのアプリ（図示せず）を選ぶと（図３のＳ１）、携帯電話７の表示部２２に、図４のごとく、調理メニュー表示がなされる（図３のＳ２）。
【００２７】
本実施形態では、調理メニュー表示の画面には、図４に示すように、「湯沸し」、「煮物」、「焼き物」の３種類の調理メニューが選択できるように表示される。
【００２８】
ここで、「湯沸し」を選択すると（図３のＳ３、Ｓ４）、携帯電話７は、制御部２１から通信部２７を介して、換気扇８および空気清浄機３に同時に通信を行う（図３のＳ５）。
【００２９】
その結果、換気扇８は、通信部１４を介して、制御部１１に「弱」運転の指示を伝える。すると、制御部１１は、ファン１０を「弱」で運転すると共に、メモリ１３に「弱」運転の指示を記憶させる。これにより、ファン１０は、「弱」で運転を継続する。
【００３０】
また、空気清浄機３には、通信部１９を介して、制御部１６に「通常」運転の指示を伝える。すると、制御部１６は、ファン１５を「通常」で運転すると共に、メモリ１８に「通常」運転の指示を記憶させる。これにより、ファン１５は、「通常」で運転を継続する。
【００３１】
また、「煮物」を選択すると（図３のＳ６）、携帯電話７は、制御部２１から通信部２７を介して、換気扇８および空気清浄機３と同時に通信を行う。換気扇８には、通信部１４を介して、制御部１１に「中」運転の指示を行う。
【００３２】
すると、換気扇８の制御部１１は、ファン１０を「中」で運転すると共に、メモリ１３に「中」運転の指示を記憶させる。これにより、ファン１０は、「中」で運転を継続する。また、空気清浄機３には、通信部１９を介して、制御部１６に「通常」運転の指示を行う。すると、空気清浄機３の制御部１６は、ファン１５を「通常」で運転すると共に、メモリ１８に「通常」運転の指示を記憶させる。これにより、ファン１５は、「通常」で運転を継続する。
【００３３】
また、「焼き物」を選択すると（図３のＳ７）、携帯電話７は、制御部２１から通信部２７を介して、換気扇８および空気清浄機３に同時に通信を行う。つまり、換気扇８には、通信部１４を介して、制御部１１に「強」運転の指示を行う。すると、換気扇８の制御部１１は、ファン１０を「強」で運転すると共に、メモリ１３に「強」運転の指示を記憶させる。これにより、ファン１０は、「強」で運転を継続する。
【００３４】
また、空気清浄機３には、通信部１９を介して、制御部１６に「停止」の指示を行う。制御部１６は、ファン１５を「停止」すると共に、メモリ１８に「停止」の指示を記憶させる。これにより、ファン１５は、「停止」を継続する。
【００３５】
以上のように、換気扇８と空気清浄機３は、調理メニューによって風量の異なる運転を行うものである。特に、調理メニューが、煙を発生する「焼き物」の場合には、図３から理解されるように、その他の煙の発生が少ない「湯沸し」、「煮物」の場合に比べ、換気扇８の風量は、大きくなる。これにより、調理時に発生する煙等を効率よく排気できる。
【００３６】
一方、換気扇８は、「焼き物」の場合には、「湯沸し」、「煮物」の場合に比べ、風量が大きいので、換気扇８で発生する騒音も、大きくなるが、室内環境の悪化を抑制する為に大風量で運転を行う。
【００３７】
これに対して、空気清浄機３は、「湯沸し」、「煮物」の場合には、「通常」運転となるが、「焼き物」の場合には、室内に広がる恐れのある煙を拡散させない為にも、その動作を「停止」するものである。
【００３８】
以上のごとく、本実施形態においては、調理メニューが「焼き物」の場合に、換気扇８は「強」で運転を行い、騒音も増大するが、風量を増大させる。
【００３９】
また、この「焼き物」の場合には、空気清浄機３は、「停止」させ、室内に広がる恐れのある煙を拡散させないようにする。
【００４０】
また、制御装置である携帯電話７の制御部２１は、換気扇８または空気清浄機３への通信後、これらの換気扇８または空気清浄機３からの返信を確認し、換気扇８または空気清浄機３からの返信があった場合には、これらの換気扇８または空気清浄機３への送信を停止させるようにしている（図３のＳ８、Ｓ９）。
【００４１】
つまり、図３に示すように、制御装置である携帯電話７の制御部２１は、換気扇８または空気清浄機３へ通信する。次に、図６に示すように、換気扇８は、この通信を通信部１４より受信し、指示通信を受信したかどうかを制御部１１で判断する（図６のＳ１、Ｓ２）。指示通信だと判断すると、制御部１１は、通信部１４を介して、携帯電話７へ返信を行い、上記の運転を行う（図６のＳ３、Ｓ４）。
【００４２】
図７に示すように、空気清浄機３も同様に、通信を通信部１９より受信し、指示通信を受信したかどうかを制御部１６で判断する（図７のＳ１、Ｓ２）。指示通信だと判断すると、制御部１６は、通信部１９を介して、携帯電話７へ返信を行い、上記の運転を行う（図７のＳ３、Ｓ４）。
【００４３】
以上の換気扇８、および空気清浄機３からの返信を、携帯電話７が受信すると、制御部２１は、通信部２７からの送信を停止する（図３のＳ８、Ｓ９）。また、制御部２１は、換気扇８および空気清浄機３への通信後、これらの換気扇８または空気清浄機３からの返信が無い場合には、図５に示すように、換気弱ａ、空清通常ｂ、返信待ちｃ、換気弱ａ、空清通常ｂ、返信待ちｃを繰り返すものである。
【００４４】
これにより、携帯電話７から送信を、換気扇８、および空気清浄機３で確実に受信できるようになる。
【産業上の利用可能性】
【００４５】
本発明にかかる空調システムは、室内に配置される換気扇および空気清浄機と、これらの換気扇および空気清浄機と通信を行う制御装置とを備え、前記制御装置は、前記換気扇および空気清浄機と通信を行う通信部と、この通信部に接続された制御部と、この制御部に接続された入力部、表示部、メモリとを有し、前記制御装置の制御部は、前記換気扇近傍の調理器具で行う調理メニューを前記表示部に表示させると共に、この表示部に表示された調理メニューを選択すると前記通信部を介して、換気扇と空気清浄機の少なくとも一方を、選択した調理メニューに応じた動作をさせる構成としたので、室内の空間の環境悪化を抑制することができる。
【００４６】
すなわち、本発明では、前記制御装置の制御部により、前記換気扇近傍の調理器具で行う調理メニューを前記表示部に表示させると共に、この表示部に表示された調理メニューを選択すると前記通信部を介して、換気扇と空気清浄機の少なくとも一方を選択した調理メニューに応じた動作をさせる構成としたので、調理の種類に応じて、換気扇および空気清浄機が調理の実行と共に動作し、その結果として、室内の空間の環境悪化を抑制することができるのである。
【符号の説明】
【００４７】
１      リビング
２      ダイニング
３      空気清浄機
４      テレビ
５      ソファー
６      テーブル
７      携帯電話
８      換気扇
１０      ファン
１１      制御部
１２      スイッチ
１３      メモリ
１４      通信部
１５      ファン
１６      制御部
１７      スイッチ
１８      メモリ
１９      通信部
２０      通信部
２１      制御部
２２      表示部
２３      メモリ
２４      マイク
２５      スピーカー
２６      入力部
２７      通信部
【図１】
2015010735.tif 000003
【図２】
2015010735.tif 000004
【図３】
2015010735.tif 000005
【図４】
2015010735.tif 000006
【図５】
2015010735.tif 000007
【図６】
2015010735.tif 000008
【図７】
2015010735.tif 000009